(57)【要約】折り畳み可能なスタンドであって、支持壁６、２つの側壁１６、１７を備えたボックスを有し、前記ボックスは折り畳み状態と、物品を受け入れるように広げた使用状態との間で枢動可能となっている。支持壁６は、側壁１６、１７間で延びている。フラップ２７が、ボックスを広げた開放状態に維持し、保持手段１６、１７、２７、６が、支持壁６と共に、力伝達手段を構成する。各側壁１６、１７は、枢動辺２４から延びる少なくとも１つの２面１４、２８からなる二面角を有しており、枢動辺２４、枢動辺２４と交差する他の折り畳み線１９に沿って折り畳み可能である。広げた状態において、前記辺は強固であり、前記保持手段の一部を形成する。
2013517866.tif 000002
【特許請求の範囲】
【請求項１】
物品ディスプレイスタンドは、実質的に剛性を備えかつ折り畳み可能な材料からなり、
少なくとも１つの支持壁(6、106)と、２つの側壁(16、17)と、を備えた多面体コンパートメント(2、102)であって、平らな折り畳み状態と、前記側壁(16、17)間で延びる前記支持壁(6)上で物品を受けるように開放し、広げた使用状態と、の間で変化できるように枢結されているコンパートメントと、
前記コンパートメントを、開放し、広げた使用状態に保持する手段(27、38、6、10)と、
前記支持壁(6)と共に力降下手段を形成する補強手段(16、17、27、6、38)と、を備え、
前記スタンドにおいて、
各側壁 (16、17)は、スタンドの広げた使用状態において、枢動辺(24)から延びる２つの面(14、28)による少なくとも１つの二面角を含む厚い壁であり、
各壁 (16,
17)は、少なくとも前記枢動辺(24)及び当該枢動辺(24)と交差する他の折り畳み線(19)に沿って折り畳めるように構成されており、
前記コンパートメントを広げた状態に保持する手段(27、38、6、10)は、当該スタンドを広げた後に前記枢動辺(24)を補強するように構成されており、前記枢動辺が前記補強及び力降下手段の一部を形成するようになっている、
物品ディスプレイスタンド。
【請求項２】
前記保持手段(27、38、6、10)は、補強及び力降下状態において、前記コンパートメントの厚い側壁(16、17)の固定／固定解除機能を提供する、請求項１に記載のディスプレイスタンド。
【請求項３】
前記コンパートメントは、支持パネル(6〜9)によって区画された複数の基本コンパーメント(2〜5)に亘って延びている、請求項１あるいは２に記載のディスプレイスタンド。
【請求項４】
前記支持パネル(6〜9)は、保持機能の一部を提供する、請求項３に記載のディスプレイスタンド。
【請求項５】
前記２つの厚い側壁の少なくとも１つ(216、316)は、単一の二面角を有している、請求項１〜４いずれか１項に記載のディスプレイスタンド。
【請求項６】
広げた使用状態において、前記二面角を形成する２つの面(314、315)は、平面である、請求項５に記載のディスプレイスタンド。
【請求項７】
広げた使用状態において、前記二面角を形成する２つの面(214、215)は、拘束状態において湾曲している、請求項５に記載のディスプレイスタンド。
【請求項８】
厚い側壁は、１つの中央枢動辺と２つの枢動辺との間で延びる２つの面を伴う１つの二面角を有している、請求項１〜４いずれか１項に記載のディスプレイスタンド。
【請求項９】
前記中央枢動辺から形成される二面角の面は、平らである、請求項８に記載のディスプレイスタンド。
【請求項１０】
前記中央枢動辺から形成される二面角の面は、拘束状態において湾曲している、請求項８に記載のディスプレイスタンド。
【請求項１１】
広げた使用状態において、厚い側壁は、拘束状態で２つの枢動辺間で延びる１つの湾曲面を有しており、当該２つの枢動辺から２つの二面角が形成されている、請求項１〜４いずれか１項に記載のディスプレイスタンド。
【請求項１２】
各厚い側壁(16、17、116、117)は、外方側面(28)、内方側面(27)、前面(14)、後面(15)を備えた平行六面体形状である、請求項１〜４いずれか１項に記載のディスプレイスタンド。
【請求項１３】
前記支持壁は、床壁(6、106)である、請求項１〜１２いずれか１項に記載のディスプレイスタンド。
【請求項１４】
天井壁(10、110)が設けられている、請求項１３に記載のディスプレイスタンド。
【請求項１５】
前記床支持壁は、前記側壁(16、17)間に保持された別個のパネル(6)である、請求項１３あるいは１４に記載のディスプレイスタンド。
【請求項１６】
前記支持パネル(6)は、前記厚い側壁(16、17)と係合する複数の先端(33〜36)を備えている、請求項１５に記載のディスプレイスタンド。
【請求項１７】
前記保持手段は、前記厚い側壁(16、17)の内方辺(23、26)に沿って枢動する引っ込み可能なフラップ(271、272)を備えている、請求項１〜１６いずれか１項に記載のディスプレイスタンド。
【請求項１８】
前記引っ込み可能なフラップ(271, 272)は、戻り手段の作用によって引っ込まれていない保持位置となるように枢動可能に装着されている、請求項１７に記載のディスプレイスタンド。
【請求項１９】
保持挿入体(39)が、前記支持体を形づくる機能、及び、補強及び力降下機能の一部を提供するようになっている、請求項１〜１８いずれか１項に記載のディスプレイスタンド。
【請求項２０】
広げられた使用状態において、前記他の折り線(22、119)の下方に延びる保持挿入体(161)は、地面に降下して支持脚部を形成し地面への力降下を完結させる壁部(162)を備えている、請求項１９に記載のディスプレイスタンド。
【請求項２１】
複数の基本コンパートメント(2〜5)が、引っ込み可能枢動保持フラップ(271、272)に当たる力降下伝達挿入体を構成する複数の保持挿入体(39)を備え、支持パネル(6〜10)は複数の交差する線(19〜22)の両側において、保持挿入体上に載置されている、請求項３、１５、１７、１９いずれか１項に記載のディスプレイスタンド。
【発明の詳細な説明】
【技術分野】
【０００１】
本発明の分野は、一方で優れた搬送及び収納状態を提供し、他方で速やかな現場での設置を提供する利点を備えており、ほぼ自動的に広げることができる折り畳みディスプレイスタンドに関するものである。
【背景技術】
【０００２】
折り畳んだ状態からは、スタンドを広げ始めるだけでよく、その後は弾性戻り手段の作用によって自動的に折り畳み状態から広げられる。
【０００３】
逆に、スタンドは戻り手段の作用に抗して折り畳まれる。
【０００４】
出願人は、このタイプのスタンドを長年に亘り開発してきた。
【０００５】
出願人は情報ディスプレイスタンドから始めた。このタイプのディスプレイユニットは、POS(point-of-sale)コミュニケーションや視覚的広告に用いることができ、コラム（column）形状である。このタイプのディスプレイユニットはFR2824946に記載されている。
【０００６】
出願人は、次に、広げた状態において、物品をその中に挿入したり、あるいは、物品、当該スタンドから突出ないし突出していない、の回りに当該スタンドをスライドさせたりするように、内部空間が自由になっているディスプレイスタンドを提案した。このようなディスプレイユニットはFR2915305に記載されている。
【０００７】
さらに、出願人は、POSコミュニケーションや視覚的広告のための情報支持コラムであって、物品の受け入れも可能なものを、FR2847062に記載されているように提案している。
【０００８】
本出願人は、同様の原理に従って作成され、主として物品を支持ないし提示し、付随的に情報提示するように設計されたディスプレイユニットを提案している。これらは以下に述べる通りである。
【０００９】
平らな折り畳み状態と、物品を受け入れるように開いた、広げた使用状態との間で変化可能なように関節連結された多面コンパートメントと、広げられて、開いた状態にあるコンパートメントを保持する引っ込み可能手段と、保持手段を引っ込まれていない保持位置に保持するための弾性戻り手段と、を備え、前記弾性手段の作用に抗して前記保持手段を引っ込ませることでコンパートメントを平らにするような物品ディスプレイユニットは、既にWO2005/004677から知られている。
【００１０】
多面体は複数の平面を備えた物体であることを思い起こしてほしい。
【００１１】
しかしながら、WO2005/004677に示すコンパートメントは、大きな重量を備えた本体や物品を支持することはできない。
【００１２】
FR2928528において、出願人は、当該文献に記載されたタイプの基本支持体を提案しており、コンパートメントが、枢動辺を備えた多面スリーブと、少なくとも１つの引っ込み可能な枢動保持壁と、を備え、前記引っ込み可能な枢動保持壁が、天井面と床面との間の補強壁となり、当該補強壁が力降下手段(force descent means)を形成するようになっている。
【００１３】
前記保持壁は、引っ込み可能な補強壁である。
【００１４】
この状況において、コンパートメントは、天井面上で重量のある物体やいかなる物品、さらには、他の基本支持体、実際に複数の支持体をも支持することができる。
【００１５】
換言すると、コンパートメントの広げた開き状態において、天井面と補強壁は地面に対する力降下手段を形成する。
【００１６】
しかしながら、このような支持体において、補強及び力降下は、引っ込み可能な枢動保持壁によって提供される。
【００１７】
出願人は、本権利範囲を、複数のコンパートメント支持体(compartments-supports)のセットに限定する意図は無いが、本出願において提案された改良は、複数の物品の提示が望まれる場合には、全体において力降下を形成するために、個別の製造に続いて、複数の力降下引っ込み壁を備えた複数のコンパートメントを組み立てる必要があることに起因するものである。複数のコンパートメントの製造及び組み立ては、特に、コンパートメントが比較的剛性を備えたボール紙の使用を必要とするため、コストがかかる。
【発明の開示】
【発明が解決しようとする課題】
【００１８】
したがって、出願人は、前記引っ込み可能な枢動・保持・力降下壁を用いることを避けることを模索した。
【課題を解決するための手段】
【００１９】
本発明は、物品ディスプレイスタンドに係り、実質的に剛性を備えかつ折り畳み可能な材料からなり、少なくとも１つの支持壁と、２つの側壁と、を備えた多面体コンパートメントであって、平らな折り畳み状態と、前記側壁間で延びる前記支持壁上で物品を受けるための開放し、広げた使用状態と、の間で変化できるように枢結（関節連結）されているコンパートメントと、前記コンパートメントを、開放し、広げた使用状態に保持する手段と、前記支持壁と共に力降下手段を形成する補強手段と、を備え、前記スタンドにおいて、各側壁は、スタンドの広げた使用状態において、枢動辺から延びる２つの面による少なくとも１つの二面角を含む厚い壁であり、各壁は、少なくとも前記枢動辺及び当該枢動辺と交差する他の折り畳み線に沿って折り畳めるように構成されており、前記コンパートメントを広げた状態に保持する手段は、当該スタンドを広げた後に前記枢動辺を補強するように構成されており、前記枢動辺が、前記補強及び力降下手段の一部を形成するようになっている。
【００２０】
前記支持体が広げられた状態において、前記辺は強化されているため、前記保持手段は、補強及び力降下状態にあるコンパートメント支持体の厚い壁の固定機能(locking function)を提供し、前記保持手段はまた、固定解除機能(unlocking function)も提供する。
【００２１】
本発明は幾つかの面において注目に値する。
【００２２】
最初、出願人は、FR2928528から出発し、薄い一面の側壁を、複数の面を備えた厚い壁に置き代えることを検討した。次いで、出願人は、コンパートメントの側壁において、原理上、最も十分な補強及び折り畳み力降下手段が提供される厚い壁の中央において、枢動辺に交差する線、すなわち前記支持体の折り畳み面を提案することを考えた。この場合、コンパートメント自体が支持機能を提供する。複数の物品の提示が要望される場合には、もはや複数の別個のコンパートメントを組み立てる必要はない。本発明に係るコンパートメントは、複数の基本コンパートメント支持部を含むユニットを形成するように適切な高さに亘って延ばすことができ、複数のパネル支持体によって区画することができ、当該パネル支持体は、保持機能のかなり大きな部分を提供する。最後に、本出願人は、自身のFR2876261を、完全に自明なアプローチではなく、固定及び固定解除を伴って、支持壁と交差する複数の折り畳み線に沿って複数の保持挿入体を折り曲げるという原理を適用する根拠として用いた。
【００２３】
これらの全ての特徴が、本願に係るスタンドが進歩性を伴うことを意味していることは明白である。
【００２４】
さらに、辺に交差するがスタンドを弱くしてしまう折り畳み線を備えた本発明の構成は、広げられた使用状態のスタンドにおいて、前記交差する折り畳み線によって弱められた区域を補強するという利点を有している。
【００２５】
本発明に係るスタンドの厚い側壁は、単一の二面角を有していてもよい。この場合、広げた使用状態において、二面角を形成する２つの面は平面であってもよく、あるいは、拘束状態で湾曲していてもよい。拘束状態において、前記湾曲面は、２つの側壁の２つの二面角の２つの辺の間で延びている。厚い側壁は、１つの中央辺と２つの枢動辺との間で延びる２つの面を伴う１つの二面角を有していてもよく、前記中央辺から形成される二面角を形成する面は、平面でも、あるいは、拘束状態において湾曲していてもよい。厚い側壁は、拘束状態で、２つの枢動辺間で延びる１つの湾曲面を有していてもよく、当該２つの枢動辺から２つの二面角が形成されている。
【００２６】
好ましくは、各側壁は、外方側面、内方側面、前面、後面を備えた平行六面体形状である。
【００２７】
拘束された面を備えた厚い壁の場合、保持手段は、前記スタンドが広げられた時に、前記拘束された面が、前記補強及び力降下手段の一部を形成することを保証する。
【００２８】
前記支持壁は、コンパートメントの天井壁あるいは床壁であってもよい。前記支持体は、床壁及び天井壁を備え、一方あるいは他方、あるいは、両方が支持壁であってもよい。また、支持壁は、前記側壁間に支持された別体のパネルであってもよい。
【００２９】
有利には、前記保持手段は、例えば、戻り手段の作用によって、引っ込まれていない保持位置に枢動するような、前記厚い側壁の内方辺に沿って枢動する引っ込み可能なフラップを備えている。
【００３０】
好ましくは、支持コンパートメントは、保持挿入体を備えており、当該保持挿入体は、当該支持体の形づくり手段を構成し、また、前記他の交差する折り畳み線の下方に延びて地面上に載る力降下手段の地面に載る脚部を形成する壁部分を備えており、前記補強及び力降下手段の部分を構成している。
【００３１】
複数の保持挿入体を備えた複数の基本コンパートメント支持部のセットがある場合に、前記保持挿入体は、力伝達・移動挿入体でもあり、引っ込み可能な枢動保持フラップの上に載ってもよく、当該挿入体上には、複数の交差する折り畳み線の両側に位置して支持パネルが載ってもよい。
【００３２】
本発明に係るディスプレイスタンドの幾つかの実施形態について対応する添付図面を参照した以下の記述によって、本発明はより良く理解されるであろう。
【図面の簡単な説明】
【００３３】
【図１】図１は、物品ディスプレイスタンドの第１の実施形態の正面図であり、当該スタンドは、各々２つのパネルを備えた複数の基本コンパートメント支持部（elementary compartments-supports）の組に区画されている。
【図２】図２は、図１に示すスタンドの側面図である。
【図３】図３は、図１に示すスタンドの上面図である。
【図４】図４は、図１に示すスタンドと殆ど同一であるが、各基本コンパートメント支持部について１つのパネルのみを備えているスタンドを上方から見た斜視図である。
【図５】図５は、ブランク（素材板）の平面図であり、当該ブランクから図１に示すスタンドが形成される。
【図６】図６は支持パネルの平面図である。
【図７】図７は、図１に示すスタンドの斜視図であり、折り畳む途中（あるいは広げる途中）を示す。
【図８】図８は、図１に示すスタンドの斜視図であり、折り畳む途中、すなわち、運搬及び収納のために平らに折り畳む途中を示す。
【図９】図９は、２つのパネルを備えた基本コンパートメント支持部の分解図である。
【図１０】図１０は、図９に示す基本コンパートメント支持部を上方から見た斜視図である。
【図１１】図１１は、本発明に係るスタンドの第２かつ特有の実施形態の斜視図であり、当該スタンドは湾曲状の複数の面を備えている。
【図１２】図１２は、本発明に係るスタンドの第３の実施形態の斜視図であり、当該スタンドもまた他のスタンドと異なり、三角形状の断面形状を有している。
【発明を実施するための形態】
【００３４】
図１〜図８を参照すると、物品ディスプレイコラムは、大きな多面体のボックスないしコンパートメント１を有し、当該ボックスは、複数の基本コンパートメント支持部のセット、この場合では、パネル６〜９及びパネル１０〜１３の複数の４枚のパネルセットにより、参照番号２〜５で示す４つに区画されており、開いた、かつ、使用時の広げた状態において、パネル６〜９は、コンパートメント１の物品支持床壁であり、パネル１０〜１３は、コンパートメント１の保持天井パネルである。実際、支持パネル６〜９もまた、開放及び使用時の開いた状態にあるコラムを保持することを助ける。さらに、全てのパネル６〜１３は、また、補強及び力降下手段（bracing and force descent means）を形成する。
【００３５】
一般的な視点において、各基本コンパートメントは、床パネル６〜９と天井パネル１０〜１３との間で縦方向に延びている。ボックス１は全体として、前面１４、後面１５、２つの厚い側壁１６、１７を備えている。コラム１は、ボール紙のような、実質的に剛性を備えているが折り曲げ可能な材料から作られたブランク１８（図５）から形成される。
【００３６】
広げた状態において、コラム１は、４つの水平面内にある４本の折り畳み線１９〜２２、この場合、互いから等距離のペアとなっている、を備えている。
【００３７】
開かれ、広げられた使用状態において、各多面体基本コンパートメントは、２つの厚い側壁１６、１７間で、当該基本コンパートメントの支持パネル６〜９上に物品を受け入れることができる。
【００３８】
各厚い側壁１６、１７は、本実施例では平行六面体形状であり、枢動辺である４つの辺２３〜２６から延びる４つの二面角を有しており、すなわち、内方前辺２３、外方前辺２４、外方後辺２５、内方後辺２６（図４）のそれぞれから以下の面が延びる。
−前面１４、及び、内方側面２７、この場合、後に明らかになるように、内方側面２７は、引っ込み可能保持フラップから形成される、
−前面１４、及び、外方側面２８、
−外方側面２８、及び、後面１５、
−後面１５、及び、内方側面２７。
【００３９】
パネル６〜１３、本実施例では全て同一であるとみなすことができる、はブランク（素材板）１８よりも剛性の大きい材料から形成されており、ここでは、全く折ることができない比較的厚いボール紙からなる。
【００４０】
図４に示すスタンドの実施形態１は、支持パネル６〜９のみを備え、保持天井パネル１０〜１３が無い点においてのみ、図１に示す実施形態と異なる。
【００４１】
各パネル６は、側壁１６、１７の幅に対応する短辺２９、３０と、前面１４、後面１５の幅に対応する長辺３１、３２とからなる概ね方形を備えている。
【００４２】
より具体的には、短辺２９、３０は前記側壁の幅よりはわずかに大きく、長辺３１、３２は前記前面及び前記後面の幅よりもわずかに小さく、４つの角において、曲面状の外側縁と、コラムの側壁に係合するための内側の二面角と、を備えた４つの突出端３３〜３６を提供するようになっている。
【００４３】
スタンドを広げた状態において、前記パネルは、前記コラムを形作るのを助け、当該パネルは、少しの力を用いるだけで適正に位置させることができ、前記コラムを広げた状態に維持し、ある程度のストレスを側壁に与え、これら全てが補強及び力降下機能を実現する。
【００４４】
他の実施形態では、パネルは、係合先端間において、直線では無く、外側に膨出する湾曲中央部位を備える小さな辺を有するようにして、引っ込み可能枢動フラップを、これらに遊びがある時に、厚い側壁の同じ内方側面に対して効率的に押し込むようにしてもよい。
【００４５】
コラム１、１´の厚い側壁の内方側面２７は、内方前辺２３及び内方後辺２６に対して枢動可能に装着された引っ込み可能枢動フラップ２７１、２７２のペアによって形成されている。各フラップ２７は、厚い側壁１６、１７間で、基本多面体コンパートメント２〜５の内方平行六面体状の開口３７の高さに亘って延びている。各フラップ２７は、当該フラップの枢動辺とは反対側に自由縁３８を有しており、ここでは凹凸状に形成されており、同じ内方面の２つのフラップ２７のそれぞれの２つの自由縁３８は、当該内方面の中央部位において当該内方面を閉鎖するように一体に嵌め合うことで協働することができる。したがって、２つの自由縁は、どちらかというと、ほぞとほぞ穴のように協働する。
【００４６】
支持コラムの開き位置において、フラップは引っ込まれていない。コラムを折り畳むためには、先ず前記フラップを、対応する枢動辺に沿って枢動させることによって引っ込ませる必要がある。
【００４７】
フラップを、当業者において十分に入手可能な方式において、固定された、すなわち、小穴を通る弾性要素からなる手段によって、引っ込まれていない使用位置に戻すことは有用であろう。
【００４８】
フラップは、当該フラップが引っ込まれておらず、前面１４、後面１５の面に折り畳まれていない時には、コラムが平らに折り畳まれることを防止するので、支持コラムを所定位置に保持する手段となっている。フラップはまた、厚い側壁を固定し、また、固定解除する手段でもある。
【００４９】
最後に、フラップ２７は、また、支持パネル６〜９に載っている（図４）、あるいは、支持パネル６〜９及び天井保持パネル１０〜１３との間に延在しているので、力降下の伝達を助ける。
【００５０】
本発明に係る支持コラムにおいて、特別な場合において、保持挿入体３９を設けてもよい。保持挿入体はブランク１８と同様の材料から切り出された帯片であり、コラムを所定形状に保持すると共に使用時の断面形状、この場合は方形、を維持する。より具体的には、コラムを開く時、挿入体３９は、２つの厚い側壁１６、１７それぞれの対向する外方の枢動辺２４、２５が、これらの辺によって形成された二面角に当該挿入体が当ることで、互いに接近することを防止する。
【００５１】
図９により明瞭に示す挿入体３９は、２つの横方向の横片４１、４２を備えた帯片スト４０から形成されており、横片４１、４２は帯片４０の２つの両端部において帯片４０に対して直角状に延びており、横片４１、４２はそれぞれＴ字の水平バーに似ており、帯片４０は２つの横片の中央区域を連結している。２つの横片は対向する外方枢動辺２４、２５に対抗して支持されている。横片４１、４２の良好な支持を確保するために、横片４１、４２の中央外側部位４３は、この場合、２つの外側支持区域４４、４５のみを呈するように、僅かに外広がりとなっている。
【００５２】
挿入体３９は、形づくり及び保持要素であり、また、補強及び力降下要素である。帯片４０の幅は、スタンドを広げた状態において、パネル６〜９が前記挿入体に当たるような寸法となっている。
【００５３】
天井パネル１０〜１３が用いられる場合には、挿入体３９はそれにも当り、したがって、補強及び力降下機能の実行を補助する。
【００５４】
図４、５、９、１０に示すように、挿入体３９を、一方の側壁の外方側面２８の前面１４、他方の側壁の外方側面２８、の細幅の下方フラップ４７〜５０に配置された、小穴で終端する切れ込み４６に保持された弾性戻り要素によって保持されるようにすることもでき（図５）、前記弾性戻り要素は、横片４１、４２の支持区域４４、４５を形成する部分のまわりを通る。
【００５５】
各基本コンパートメントにおいて、弾性戻り要素のための複数の保持フラップがあることが認められる。全てのフラップは、これらの端部、例えば、５１、５２（図５）、具体的には、保持切れ込みが配置される区域において、角がそがれて面取りされており、コラムを平らに折り畳めるようになっている。
【００５６】
本発明に係る支持コラムの幾つかの構成要素を説明したが、支持コラムを広げることによる組立て及び再折り畳みについて説明する。
【００５７】
コラムは折り畳み線１９〜２２に沿って折り畳まれるので、折り畳み状態から広げることが可能である（図８）。挿入体３９からなる弾性保持要素が、２つの厚い側壁１６、１７（図７）の対向する枢動辺２４、２５が共に接近するように速やかに移動させる。次いで、側壁１６、１７が厚くなり始めると、フラップの自由縁３８同士が係合する前に、当該フラップを人手であるいは戻りスプリングの作用によって枢動させることにより、コラムの形作りがフラップ２７を用いて完成される。そして、コラムは、支持パネル６〜９及び可能性があるものとして天井パネル１０〜１３、を所定位置に位置させることによって使用状態で固定される。
【００５８】
再折り畳み段階は、前記パネルを取り外し、前記フラップを引っ込ませ、前記コラムを平らにすること、換言すると、２つの側壁の対向する枢動辺を離間させるように移動させること、そして、コラムを折り畳み線１９〜２２に沿って再度折り畳むことによって、逆の動作によって実行される。
【００５９】
広げる段階／再折り畳み段階を通して、コラムは、２つの側壁１６、１７の４つの辺２３〜２６周りに枢動される。
【００６０】
図９、図１０を参照すると、単一の多面体コンパートメント１０２からなるコラムは、２つの厚い側壁１１６、１１７の対向する２つの枢動辺１２４、１２５を通る、コラムの対角面に対して対称状の２枚のブランク５２、５３から生成され、当該２つの組み合わさったブランク５２、５３は、図５のブランク１８に対応している。
【００６１】
ここでまた、フラップ１４７〜１５０は、前面１１４、後面１１５、２つの側面１２８上で枢動している。
【００６２】
ここでまた、保持挿入体３９と共に、フラップ１２７、支持パネル１０６、上方パネル１１０が存在している。
【００６３】
コンパートメント１０２は、外方の枢動辺１２４、１２５と交差する折り畳み線１１９に沿って折り畳み可能である。
【００６４】
前面１１４、後面１１５及び側壁１１６、１１７の部分は、折り畳み線１１９の下方に延びており、力降下要素（挿入体３９、天井パネル１１０、フラップ１２７、側壁１１６、１１７、支持パネル１０６）の連続のための地面上の支持脚部１６０を形成している。
【００６５】
支持脚部１６０において、挿入体３９と同じ原理で働く第２の挿入体１６１が配置されている。しかしながら、挿入体１６１は、地面に降下しており、力を地面に伝達することを保証している点において異なる。したがって、当該挿入体は帯片４０を有しておらず、地面上の支持壁１６２を備えている。他の点において、挿入体３９と挿入体１６１は同一である。
【００６６】
図１１、図１２に示す実施形態は、前記厚い側壁が平行六面体で無い点において上記実施形態と異なる。
【００６７】
図１１に示す実施形態において、各厚い側壁２１６、２１７は、保持挿入体からなる弾性保持手段により拘束された状態で保持された２つの湾曲面２１４、２１５を備えた単一の二面角のみを備えており、前記拘束された状態は上記従来のコラムと同様である。２つの二面角が、２つの枢動辺２２４、２２５から形成されており、枢動辺２２４、２２５上には、２つの面、前面２１４及び後面２１５が枢動している。その他の全ての点において、図１１に示すコラムは、図１〜５に示すコラムと同様の特徴を備えている。
【００６８】
図１２に示す実施形態では、２つの厚い側壁３１６、３１７の一方の側壁３１６は単一の二面角を備えており、他方の側壁３１７は、共通の外方側面３２８を伴う２つの枢動辺３２４、３２５から形成される二面角を備えている。前面３１４、後面３１５の２つの平面は、１つの二面角を備えた側壁３１６の単一の辺３２６において枢動しており、また、枢動辺３２４、３２５によって形成される他方の壁３１７の２つの二面角で完結している。他の観点において、図１１、図１２の２つのコラムは同一の特徴を有している。
【図１】
2013517866.tif 000003
【図２】
2013517866.tif 000004
【図３】
2013517866.tif 000005
【図４】
2013517866.tif 000006
【図５】
2013517866.tif 000007
【図６】
2013517866.tif 000008
【図７】
2013517866.tif 000009
【図８】
2013517866.tif 000010
【図９】
2013517866.tif 000011
【図１０】
2013517866.tif 000012
【図１１】
2013517866.tif 000013
【図１２】
2013517866.tif 000014
【国際調査報告】
2013517866.tif 000015
2013517866.tif 000016
2013517866.tif 000017
2013517866.tif 000018